(57)【要約】      （修正有）【課題】１台のテレビ画面は、１画面のみの情報画面として利用され、緊急地震等の画面は１画面の中で小型に表示されていたので充分な満足が得られない。【解決手段】テレビ画面１台に２画面を明確に区別した別々の信号で送り、正確に２画面にして認識させるために、１回転３６０度の回転の最初の１７０度の角度をＡの映像信号、次の１０度の角度を無信号、次の１７０度の角度をＢの映像信号、次の１０度の角度を無信号として、Ａ、Ｂの２画面の信号を送る。【選択図】図１
2020120365.tif 000002
【特許請求の範囲】
【請求項１】
テレビ画面１台で２画面に明確に区別して、別々の信号を送り、正確に２画面にして認識させる装置で、１回転３６０度の回転の最初の１７０度の角度をＡの映像信号次の１０度の角度を無信号、次の１７０度の角度を、Ｂの映像信号、次の１０度の度を無信号Ａ，Ｂ，の２画面として信号を送る。
この装置により、Ａ．Ｂ．別々の信号を、同時に送り、明確に区別して正確に２画面にして認識することが出来る、又、信号を自由に遮断したり接続する事が出来、Ａ．Ｂ．いずれかを選局して見ることが出来る装置
【請求項２】
テレビ画面１台で３画面に明確に区別して、別々の信号を送り、正確に３画面にして認識させる装置で、１回転３６０度の回転の最初の１００度の角度をＡの映像信号、次の１０度の角度を無信号、次の１００度の角度を、Ｂの映像信号、次の１０度の角度を無信号、次の１００度の角度を、Ｃの映像信号、次の１０度の角度を無信号、明確に区別して正確に３画面として見る装置、又、信号を自由に遮断したり接続する事が出来、Ａ，Ｂ，Ｃ，いずれかを選局して見ることが出来る装置。
【請求項３】
同じ、テレビ画面１台で、明確に区別して、［請求項１］と［請求項２］の２画面と、３画面を簡単に切り替えて、２画面でも、３画面でもロータリスイッチ、又はスライドスイッチ、で切り替えて映像を見る事が出来る装置
◎テレビ画面１台で、１画面に明確に区別して認識するのは当然の事とする。
（請求の信号の角度は最良の角度に試作、研究、改良、の結果変更もございます。）
【発明の詳細な説明】
【技術分野】
【０００１】本発明は、テレビ画面１台で、２画面に、３画面に、関するものである。
【背景技術】
【０００２】現在まで、テレビ画面１台で、情報を伝えるとき、画面の下や、側面に小さく表示して、伝えており、多くの情報は同時に送り、伝えることが出来なかった。
【発明の概要】
【発明が解決しようとする課題】
【０００３】解決しようとする問題点は多くの情報を、１台のテレビで解決出来なかつた事を課題とする。
【課題を解決するための手段】
【０００４】本発明は、テレビ画面１台で、２画面、３画面、に技術的に解決して人間の目の残像現像を利用して、１秒間１２０コマで信号を送り、１画面の時１２０コマ２画面の時合計最大２４０コマ、３画面の時合計最大３６０コマの信号で、明確に区別して、人間の目の残像現象を利用して課題を解決するための手段とした。
【発明の効果】
【０００５】人間の目の残像現象を利用して、別々の信号を送り、２画面に明確に区別して認識させる装置であり、又、３画面に明確に区別して、認識させる装置であり利用価値が大きく発明の効果は多きものであります。
【図面の簡単な説明】
【０００６】
【図１】図１は４Ｋ，８ｋ、テレビの映像信号、１秒間１２０コマで映像信号が入る。本発明ではモーターの回転軸を利用して、信号を送るので、２画面の信号の角度が最初の１７０度の角度をＡ，の映像信号、この信号で１秒間１２０コマにするには３６０度÷１７０度で＝２．１１回転必要であり。３画面の信号の角度が１００度のＡ，の信号で１秒間１２０コマにするには３６０度÷１００＝３．６回転必要になり、それ故に２画面でも、３画面でも、対応するには、２回転〜４回転の同期手動調整型とした。１分間（２×６０）〜（４×６０）回転、１分間１２０〜２４０回転である。
【図２】図２はモーターの回転１回転で３６０度の回転の最初の１７０度の角度をＡ，の映像信号、次の１０度の角度を無信号、次の１７０度の角度を、Ｂ，の映像信号、次の１０度の角度を無信号、２画面の信号を送る装置を、平面に展開して信号の伝達を説明する。
【図３】図３において説明する。モーターの回転１回転で３６０度の回転の最初の１００度の角度をＡ，の映像信号、次の１０度の角度を無信号、次の１００度の角度をＢ，の映像信号、次の１０度の角度を無信号、次の１００度の角度を、Ｃ，の映像信号次の１０度の角度を無信号、３画面の信号を送る装置を、平面に展開して信号の伝達を説明する。
【図４】図４において説明する、モーターの回転軸を利用して、１画面の信号、２画の信号、３画面の信号を同じ回転軸に、並行して示し、スライドスイッチで簡単に切り替える装置を、平面に展開して信号の伝達を説明する。
【図５】図５において説明する、モーターの回転軸に６列の信号、１画面の信号、切り替えで直結する、２画面のＡ，とＢ，の信号、３画面の信号Ａ，とＢ，とＣ，を並べる。それに対比して、１画面用とＡ，Ｂ．Ｃ．１体化した信号を切り替える装置を作り、切り替えて、１画面、２画面、Ａ，Ｂ、の場合でも、Ａ，Ｂ，Ｃ，の切り替え装置をＡ，Ｂ，の方に移動させてＣ，の端子が遊び、２画面のみ動作する、３画面の時もＡ，Ｂ，へＡ．Ｂ，Ｃ，の端子を移動するだけで良い。
【発明の詳細な説明】
【０００７】本発明は、テレビ画面１台で、２画面に明確に区別して、正確に２画面にして認識させる装置であり、此の２画面の信号をモーターの回転軸を利用して送る（モーターの回転毎秒２回転から４回転までの同期手動調整型とする。）（映像画面の信号の角度が１７０度なので１２０コマの信号は完全に送れない送るためには３６０度÷１７０度＝２．１１回なので余裕を持つて２回転からとした）
１回転３６０度の回転の最初の１７０度の角度をＡの映像信号、次の１０度の角度を無信号、次の１７０度の角度をＢの映像信号、次の１０度の角度を無信号、Ａ，Ｂ，別々の信号を、同時に送り明確に区別して、正確に２画面にして認識する事が出来る、又信号を自由に遮断したり接続する事が出来、Ａ，Ｂいずれか選局して見ることが出来る装置。
同じ、テレビ画面１台で、３画面（合計最大３６０コマ）に明確に区別して、別々の信号を送り認識出来る装置。
３画面の信号をモーターの回転軸を利用して送る（モーターの回転毎秒２回転から４回転までの同期手動調整型とする）（３画面の信号角度が１００度なので３６０度÷１００度＝３．６回なので余裕を持つて４回転までとした）
１回転３６０度の回転の最初の１００度の角度をＡ，の映像信号、次の１０度の角度を無信号、次の１００度の角度をＢの映像信号、次の１０度の角度を無信号、次の１００度の角度をＣの映像信号、次の１０度の角度を無信号、Ａ，Ｂ，Ｃ別々の信号を、同時に送り明確に区別して、正確に３画面にして認識することが出来る、又信号を自由に遮断したり接続する事が出来、Ａ、Ｂ，Ｃ，いずれか選局して見ることが出来る装置。
又、テレビ画面１台で明確に区別して、本来の１台１画面の画面と、１台２画面の画面を正確に区別して認識し又、１台３画面を正確に認識出来る装置。
【発明を実施するための最良の形態】
【０００８】本発明の実施の形態を図１〜図５において説明する。
【産業上の利用可能性】
【０００９】産業上の利用では、今迄見ることができなかった、瞬時の情報が同時に知ることが出来何人もの情報を集めて、利用されていたのが、一人で管理が出来て膨大な数の情報を効率良く利用できるようになった。
例えば、自動車では、１台の画面で、カーナビの情報と、カメラで撮影した前の画面も、２画面として、確実に正確に認識して、別々の画面として見ることが出来、情報量として２倍になり、便利になりました。
【図１】
2020120365.tif 000003
【図２】
2020120365.tif 000004
【図３】
2020120365.tif 000005
【図４】
2020120365.tif 000006
【図５】
2020120365.tif 000007